(57)【要約】【課題】水槽の浄水装置の電源導線が、水を入れる容器の容器中空部の内部に入ることを避け、さらには導線が水を入れる容器の容器中空部の水中で漏電し危険を引き起こすことを避け、使用上の安全を確保し、水槽の外観全体をよりすっきりさせるのに役立つ水槽の提供。【解決手段】水を入れる容器と前記水を入れる容器内に設けた浄水装置を含み、前記浄水装置はろ過構造と前記ろ過構造のために動力を提供する駆動構造を含み、その特徴は、前記ろ過構造は該水を入れる容器の容器中空部の内部に設置し、前記駆動構造は前記水を入れる容器の容器中空部の外部に設置する。【選択図】図１
2007295917.tif 000002
【特許請求の範囲】
【請求項１】
水を入れる容器と前記水を入れる容器内の浄水装置を含み、前記浄水装置はろ過構造と前記ろ過構造に動力を提供する駆動構造を含み、そのうち、前記ろ過構造は前記水を入れる容器の容器中空部の内部に設け、前記駆動構造は前記水を入れる容器の容器中空部の外部に設けたことを特徴とする、水槽。
【請求項２】
上述のろ過構造は磁気を帯びた可動式のパーツを備え、可動式のパーツには導流器を設け、導流器は吸水口と排水口を備え、駆動構造は磁極交換を生じることのできる磁力生産器である、請求項１に記載の水槽。
【請求項３】
上述の水を入れる容器の壁に容器中空部の中に向かって伸びる柱体を設け、前記柱体の内部には磁気を帯びた回転軸の磁気を帯びた可動式のパーツを設置し、前記柱体の外部は上述の駆動構造が取り囲み、上述の駆動構造はコイルを巻いたケイ素綱片あるいは磁極交換を提供する装置とし、前記磁気を帯びた回転軸は容器中空部の外部に設置した駆動構造の駆動により回転する、請求項１に記載の水槽。
【請求項４】
上述の水を入れる容器の壁には容器中空部の外に向かって伸びる柱体を設け、前記柱体の外部は磁気を帯びた羽根車の磁気を帯びた可動式のパーツが取り囲み、前記柱体の内部には駆動構造を設置し、上述の駆動構造はその回転子のてっぺんに回転軸を設けた電機とし、前記磁気を帯びた羽根車は前記電機のてっぺんの回転軸の駆動により回転する、請求項１に記載の水槽。
【請求項５】
上述の水を入れる容器の底壁が上の方へ向かって伸びたてっぺんには、磁気膜片の磁気を帯びた可動式のパーツを設置し、容器中空部の外部には駆動構造を設置し、上述の駆動構造は磁極交換を提供する装置とし、前記磁気膜片は前記駆動構造の断続的な磁性作用を受けて上下運動を行う、請求項１に記載の水槽。
【請求項６】
上述の導流器の吸水口あるいは排水口はろ過材を備えた浄水装置あるいは水流導流装置に繋がる、請求項２に記載の水槽。
【請求項７】
上述の水を入れる容器の壁は、内側に向かった中空部分を備え、その中に照明パーツあるいは加熱装置を設ける、請求項１に記載の水槽。
【請求項８】
上述の水を入れる容器の壁に、水を透す板あるいは装飾物と連接することのできるインターフェースを設置する、請求項１に記載の水槽。
【請求項９】
上述の水を入れる容器の底部に近くに水を通す板を設置し、前記板は穴あるいは格子溝を備え、装飾物と相繋がるインターフェースを設置する、請求項２に記載の水槽。
【請求項１０】
上述の水を透す板は上述の導流器の吸水口と排水口の間に設置する、請求項９に記載の水槽。
【発明の詳細な説明】
【技術分野】
【０００１】
本発明は水槽に関し、詳細には、浄水装置を通して水をろ過清浄する水槽に関する。
【背景技術】
【０００２】
人々の生活水準の向上にともない、家庭あるいは公共の場所における装飾がますます重視されるようになっている。水槽はそのなかでも重要なインテリアである。現在、水槽は主に金魚など各種の水生生物の飼育に用いられ、装飾効果を果たしている。そのため、水槽の中には普通浄水装置を設置し、水槽の容器の中の水を清浄し、水生生物に最適な生存環境を提供しなければならない。
しかしながら、従来の水槽は水質を清浄する目的を達するため、一般に安全上の見えない危険性と、外観全体がすっきりしないという欠点がある。具体的に述べると、図１６に示す水槽７０は、浄水装置７１全体が水を入れる容器７２の水の中に入っているため、一旦、電線が前記浄水装置７１の導線７１１に繋がり、図意中で漏電すれば、水生生物を死亡させ、人命にまで危険を及ぼす可能性もある。しかも導線７１１は人が常に触れることのできる所に剥き出しになっており、一旦漏電すれば人に危険を及ぼす。しかも前記導線７１１は、水を入れる容器７２の外に剥き出しになっているため、水槽７０の外観全がすっきりしない。
図１７に示す別の種類の水槽８０は、浄水装置８１全体が水を入れる容器８２の外に出ているが、浄水装置８１は吸水パイプ８１１と排水パイプ８１２を通し前記該水を入れる容器８２内の水と繋がっている。そのため、前記吸水パイプ８１１と排水パイプ８１２の設置によって、水槽８０の外観全体がすっきりしなくなっている。同様に、電線が前記浄水装置８１の導線８１３に繋がり、やはり水を入れる容器８２の側面にあり、導線８１３は人が常に触れることのできる所に剥き出しになっており、一旦漏電すれば人に危険を及ぼす。しかも万一、排水パイプ８１２が水を入れる容器の外に落ちた場合、水が外に漏れ出し、水を入れる容器内の生物が死亡するだけでなく、家中の物品が損傷する可能性もある。図１６、図１７いずれの場合も損失を引き起こす結果となるのである！
図１８に示す水槽９０と図１７に示す水槽８０の構造はほぼ同じだが、水槽９０の浄水装置９１は引っ掛ける構造９１１によって、浄水装置９１を水を入れる容器９２の側壁の上端に固定している。しかし、引っ掛ける構造９１１と吸水パイプ９１２の設置によって水槽９０の外観全体がすっきりしなくなっている。同様に、電線が前記浄水装置９１の導線９１３と繋がり、やはり水を入れる容器９２の側面にあり、万一、浄水装置が何らかの原因によって容器中空部の中に落ちた場合、漏電して容器中空部の中の生物が死亡するだけでなく、人に危険を及ぼす可能性もある。
【発明の開示】
【発明が解決しようとする課題】
【０００３】
本発明の目的は、主に水槽の浄水装置の電源導線が水を入れる容器の容器中空部の内部に入ることを効果的に避け、さらには導線が水を入れる容器の容器中空部の水中で漏電し危険を引き起こすことを避け、使用上の安全を確保し、水槽の外観全体をよりすっきりさせるのに役立つ、水槽を提供することにある。
【課題を解決するための手段】
【０００４】
本発明の水槽は、水を入れる容器と前記水を入れる容器内に設けた浄水装置を含み、前記浄水装置はろ過構造と前記ろ過構造のために動力を提供する駆動構造を含み、その特徴は、前記ろ過構造は該水を入れる容器の容器中空部の内部に設置し、前記駆動構造は前記水を入れる容器の容器中空部の外部に設置する。
【０００５】
本発明のろ過構造は磁気を帯びた可動式のパーツを備え、駆動構造は磁極交換を生じることのできる磁力生産器とする。
【０００６】
上述の磁気を帯びた可動式のパーツは、回転軸あるいは羽根車の装置とすることができる。
【０００７】
上述の水を入れる容器は、一般に透明な容器とする。
【０００８】
上述の水を入れる容器の壁には容器中空部の中に向かって伸びる柱体を設け、前記柱体の内部には磁気を帯びた回転軸を設置し、前記柱体の外部は上述の駆動構造が取り囲み、上述の駆動構造はコイルを巻いたケイ素綱片あるいは磁極交換を提供する装置とし、前記磁気を帯びた回転軸は、容器中空部の外に設置した駆動構造の駆動により回転するものとする。
【０００９】
上述の水を入れる容器の壁には容器中空部の外に向かって伸びる柱体を設け、前記柱体の外部は磁気を帯びた羽根車が取り囲み、前記柱体の内部には駆動構造を設置し、上述の駆動構造はその回転子のてっぺんに回転軸を設けた電機とし、前記磁気を帯びた羽根車は前記電機のてっぺんの回転軸の駆動により回転するものとする。
【００１０】
上述の水を入れる容器の壁は、磁気膜片を備えた装置を設け、容器中空部の外部には駆動装置を設置し、上述の駆動装置は磁極交換を提供する装置とし、前記磁気膜片は前記駆動装置の断続的な磁性作用を受けて上下運動を行う。
【００１１】
上述の水を入れる容器の壁上の容器中空部の外あるいは内に向かって伸びる柱体と水を入れる容器とは、一体として成型することもできる。
【００１２】
上述の磁気膜片の羽根車には導流器を設け、導流器は吸水口および排水口を備える。
【００１３】
上述の磁気を帯びた回転子の羽根車には導流器を設け、導流器は吸水口および排水口を備える。
【００１４】
上述の磁気膜片を備えた装置は導流器を備え、導流器は吸水口および排水口を備える。
【００１５】
上述の導流器の吸水口および排水口は、ろ過材を備えた浄水装置および水流導流装置に繋がる。
【００１６】
上述の水を入れる容器は、内側に向かった中空部分を備え、その中に照明パーツあるいは加熱装置を設ける。
【００１７】
上述の水を入れる容器は、中に装飾物と連接することのできるインターフェースを設けても良い。
【発明の効果】
【００１８】
本発明には次のような利点がある。
1.   
本発明の水槽は、ろ過構造が前記水を入れる容器の容器中空部の内部に設置されており、駆動構造が前記水を入れる容器の外部に設置されているため、水槽の浄水装置の電源導線が水を入れる容器の容器中空部の内部に入ることを効果的に避け、さらには導線が水を入れる容器の容器中空部の内部の水中で漏電し危険を引き起こすことを避けることができ、しかも前記導線は人が常に触れないところに置くことができるので、使用上の安全を確保できる。
2.   
本発明の水槽は、電源を必要とするその他のパーツに電気を供給するのに便利なので、そのため水槽の外観全体をよりすっきりさせるのに役立つ。
【実施例１】
【００１９】
図１に示すように、本発明の水槽１０は、水を入れる容器２０および前記水を入れる容器２０内に設けた浄水装置を含み、前記浄水装置はろ過構造３０と前記ろ過構造３０のために動力を提供する駆動構造４０を含み、前記ろ過構造３０は前記水を入れる容器２０の容器中空部２１の内部に設置され、前記駆動構造は前記水を入れる容器２０の容器中空部２１の外部に設置される。これによって、前記駆動構造４０の導線４１は前記水を入れる容器２０の容器中空部２１の内部に置かず、人が常に触れないところに置くことができるので、導線４１が漏電し危険を引き起こすことを避けることができる。同時に前記導線４１は水を入れる容器２０の容器中空部２１の外に置き、電源を必要とするその他のパーツに電気を供給するのに便利である。注意に値すべきは、前記水を入れる容器２０は、外から観察するのに便利なように、透明な材料で製作することができることである。
【００２０】
図１、図２、図３Ａに示すように、水を入れる容器２０の容器中空部２１は、直方体あるいは立方体あるいはその他のどのような形状とすることもでき、本実施例では直方体の形状とする。前記水を入れる容器２０の底壁２２は、前記水を入れる容器２０の容器中空部２１内に向かって上向きに伸び（容器中空部２１の外に向かって下向きに伸びても可）、どのような形状の柱体２４をも設けることができる。本説明の柱体２４を例にとると、当然のことながら必要にもとづき、前記柱体２４も側壁２３から前記底壁２２に近づいた位置、あるいは容器中空部の中心に近づいた位置から、前記水を入れる容器２０の容器中空部２１内に向かって上向きに伸びてもよい（あるいは、図１０、図１３のように、容器中空部２１の外に向かって下向きに伸びてもよい）。また、前記柱体２４は直方体とし、水を入れる容器２０の底部の一角に設置するのが、最適の実施方式である。
【００２１】
前記柱体２４のてっぺんには水平に設置面２４１を設け、前記ろ過構造３０を設置する。前記設置面２４１には、下に向かって垂直に断面が円形をした回転軸孔２４２を設け、前記回転軸孔２４２の底面中央には定位孔２４３を設ける。（図４に示すとおり）。
【００２２】
前記水を入れる容器２０の底壁２２の底面２２１には、上に向かって垂直に前記柱体24内にまで達し、同時に前記回転軸孔２４２を取り巻くように設けた収容槽２４４を設置する。
【００２３】
図１、図４、図５に示すように、本実施例では、駆動構造４０はコイル４２を巻いたケイ素綱片（その他の磁極転化を提供する装置としてもよい）とし、前記コイル４２と導線４１は繋がっている。前記収容槽２４４は水を入れる容器２０の容器中空部２１の外部に設けられているため、前記コイル４２の導線４１は前記水を入れる容器２０の容器中空部２１の内部に置く必用意がなく、人が常に触れないところに置くことができるので、導線４１が漏電し、危険を引き起こすことを避けることができる。同時に、前記導線４１は水を入れる容器２０の容器中空部２１の外に置くので、電源を必要とするその他のパーツに電気を供給するのに便利である。
【００２４】
図１から図６に示すように、本実施例では、前記ろ過構造３０は、直方体で前記設置面２４１上に垂直に設けられ、中にろ過材３２が入っているケース３１、前記ケース３１の底部に設置され、前記ろ過材３２を前記ケース内に封じる導流器３３、および羽根車３４１を備えた回転軸３４を含む。前記ケース31の側壁３１３には、前記水を入れる容器２０の容器中空部２１に通じる開け口３３５１が設けられ、水を入れる容器２０の容器中空部２１内の水が入るようになっている。前記ろ過材３２には、中心を垂直に貫く溝３２１が設けられている。前記導流器３３は直方体をしており、その導流器中空部３３１の上壁３３２の中央は、上にむかって伸びるスリーブ状のいわゆる導流口３３２１になっており、前記導流器中空部３３１の下壁３３３の中央には、貫通孔３３３１が設けられている。前記ケース３１の側壁３１３と、前記導流器３３の側壁３３４上には、排水口３１３１、３３４１が水平に設けられ、排水導流装置４３に繋がっている。前記回転軸３４は磁気を帯びた可動式のパーツとし、前記回転軸孔２４２の中に収められている。前記回転軸３４の下端の中央は下に向かって定位柱３４２が出ており、前記定位柱３４２は回転できる状態で前記定位孔２４３の中に収められている。前記回転軸３４の上端の中央は上に向かって連接柱３４３が出ており、前記連接柱３４３は貫通孔３３３１に突き出ている。前記羽根車３４１は、前記貫通孔３３３１を突き出た前記連接柱３４３の上端部分に水平に固定され、前記羽根車３４１の回転によって、前記導流器中空部３３１の中の水が、前記排水口３１３１、３３４１を通して、または排水導流装置４３を通して排出される。
【００２５】
前記回転軸３４は前記回転軸孔２４２の中に収められているため、前記回転軸３４はケイ素綱片の磁場の中心に置くことができ、前記ケイ素綱片のコイル４２が導線４１を通じて外部の交流電源につながり、電磁場の変換を起こし、前記回転軸３４を回転させて羽根車３４１の回転を引き起こし、前記導流器中空部３３１の中の水が、前記排水口３１３１、３３４１を通して、または排水導流装置４３を通して排出される。
【００２６】
図１から図６に示すように、使用時には、前記駆動構造４０は前記水を入れる容器２０の容器中空部２１の外部にある収容槽２４４の中に設置され、前記ろ過構造３０は水を入れる容器２０の容器中空部２１の内部にある柱体２４のてっぺんの設置面２４１上に設置される。導線４１を通じ、ケイ素綱片上のコイルに通電すると、電磁場の交換が起こり、前記回転軸３４が回転し、前記羽根車３４１の回転を引き起こす。これにより前記水を入れる容器２０の容器中空部２１の中の水がケース３１の開け口３３５１に流れ込み、ろ過材３２の溝３２１に入り、ろ過を行う。ろ過後の水は導流口３３２１を通して導流器中空部３３１に入り、排水口３１３１、３３４１を通して、または排水導流装置４３を通して排出され、前記水を入れる容器２０の容器中空部２１の中の水の循環ろ過を完成する。
【００２７】
前記駆動構造４０と前記ろ過構造３０はそれぞれ前記水を入れる容器２０の容器中空部２１の外部と内部に設置されているため、前記駆動構造４０の導線４１は前記水を入れる容器２０の容器中空部２１内部に置く必要がなく、人が常に触れないところに置くことができるので、導線４１が漏電し、危険を引き起こすことを避けることができる。同時に、前記導線４１は前記水を入れる容器２０の容器中空部２１の外に置くので、電源を必要とするその他のパーツに電気を供給するのに便利である。
【００２８】
図６から図９に示すように、このほかに、前記水を入れる容器２０の底壁上に前記容器中空部２１の中にへこんだ凹み部分２５１、２５２を設けることができる。また、容器中空部２１の底部から上に向かって突き出た出っ張り部分２６１、２６２を設けることもでき、前記凹み部分２５１、２５２または前記出っ張り部分２６１、２６２に別のパーツを取り付けることもできる。本実施例では、凹み部分２５１、２５２は、照明パーツ２７３と加熱装置２７４の固定構造としている。出っ張り部分２６１、２６２には装飾物２７１、２７２を取り付けている。勿論、前記照明パーツ２７３や加熱装置２７４などの部品も、必要に応じて容器中空部外部の出っ張り部分に取り付けることができる。前記駆動構造４０の導線４１は前記水を入れる容器２０の容器中空部２１内部に置く必要がないので、前記装飾物２７１、２７２や前記照明パーツ２７３、前記加熱装置２７４の電源導線４１の配置に便利であり、水槽の外観をよりすっきりさせることができる。
【００２９】
勿論、水を入れる容器２０も底壁２２に近い位置に水を通す板を設置し、水を通す板は穴あるいは格子溝を備え、また装飾物と連接することのできる溝を設けることもできる。前記水を透す板は導流器３３の吸水口と排水導流装置４３の排水口の間に置くのが、最適の実施方式である。
【実施例２】
【００３０】
図１０に示すように、水を入れる容器は直方体で、中に磁気を帯びた回転軸３４の柱体２４を設置し、前記水を入れる容器２０の底壁２２の中心の部分から、前記水を入れる容器２０の容器中空部２１の外に下に向かって伸びている。ろ過構造３０は容器中空部２１の内部にあり、駆動構造４０は容器中空部の外部にある。
【実施例３】
【００３１】
図１１に示すように、水を入れる容器は直方体で、中に磁気を帯びた回転軸３４の柱体２４を設置し、前記水を入れる容器２０の柱体２４は側壁２３に近い部分から、前記水を入れる容器２０の容器中空部２１の外に下に向かって伸びている。ろ過構造３０は容器中空部２１の内部にあり、駆動構造４０は容器中空部の外部にある。浄水装置と柱体２４の設置面２４１は垂直状態とする。
【実施例４】
【００３２】
図１２と図３Ｂに示すように、水を入れる容器２０は円柱体で、中に磁気を帯びた羽根車３４１、および容器中空部２１の外に固定した駆動構造４０のてっぺんに固定した磁気を帯びた回転軸３４を設置する。柱体２４は前記水を入れる容器２０の底壁２２の中心に近い部分から、前記水を入れる容器２０の容器中空部２１の中に上に向かって伸びている。あるいは、図１３と図３Ｂに示すように、水を入れる容器２０の底壁２２の中心に近い部分から、前記水を入れる容器２０の容器中空部２１の中に上に向かって伸びている。ろ過構造３０は容器中空部２１の内部にあり、駆動構造４０は容器中空部の外部にある。
【実施例５】
【００３３】
図１４と図３Ｂに示すように、水を入れる容器２０は直方体で、中に磁気を帯びた羽根車３４１を設置する。柱体２４は前記水を入れる容器２０の側壁２３に近い部分から、前記水を入れる容器２０の容器中空部２１の中に上に向かって伸び、ろ過構造３０は容器中空部２１の内部にあり、駆動構造４０は容器中空部の外部にある。浄水装置と柱体２４の設置面２４１は垂直状態とする。
【００３４】
図１５に示すように、水を入れる容器２０は、その底壁２２が容器中空部２１内に上に向かって伸び、内部てっぺんの設置面２４１と導流器３３との間に磁気膜片３５１の磁気を帯びた可動式のパーツを設けている。前記導流器の吸水口と排水口は逆止弁を備えている。前記磁気膜片３５１は弾力性を備え、その底には鉄金属パーツ３５が付いており、前記容器中空部２１外部の収容槽２４４には駆動構造４０が設置され、前記駆動構造４０は磁極交換を行う装置であり、前記磁極交換を行う装置は鉄芯にコイルを巻き付けた電気磁石４４であり、導線４１と回路板４５のコントロールにより前記電気磁石４４は断続的な磁性作用を発生させ、前記磁気膜片３５１は前記駆動構造４０の断続的な磁性作用を受けて上下運動を行う。
【００３５】
以上の実例により本発明の説明を実施したが、本発明の範囲はこれに限らず、本発明の構想から逸脱しない条件のもと、以上の各パーツまたは構造は、専門家の理解する範囲内で相似のもしくは同等のパーツまたは構造と取り換えることができる。
【図面の簡単な説明】
【００３６】
【図１】本発明の方法の実施例１の立体外観図である。
【図２】本発明の方法の実施例１における、柱体を設置した水を入れる容器の局部を示す立体外観図である。
【図３Ａ】本発明の方法における、磁気を帯びた羽根車あるいは磁気を帯びた回転子を備えた羽根車の回転軸の排水導流装置を示す立体外観図である。
【図３Ｂ】本発明の方法における、磁気を帯びた羽根車あるいは磁気を帯びた回転子を備えた羽根車の回転軸の排水導流装置を示す立体外観図である。
【図４】本発明の方法の実施例１における、ろ過構造と駆動構造を示す断面図である。
【図５】本発明の方法の実施例１における図４のＶＩ部分の拡大断面図である。
【図６】本発明の方法の実施例１における水槽を組み立てた立体外観図である。
【図７】本発明の方法における、照明パーツを設置した水を入れる容器の局部を示す断面図である。
【図８】本発明の方法における、加熱装置を設置した水を入れる容器の局部を示す断面図である。
【図９】本発明の方法における、装飾物を設置した水を入れる容器の局部を示す断面図である。
【図１０】本発明の方法の実施例２の立体外観図である。
【図１１】本発明の方法の実施例３の立体外観図である。
【図１２】本発明の方法の実施例４の立体外観図である。
【図１３】本発明の方法の実施例４の立体外観図である。
【図１４】本発明の方法の実施例５の立体外観図である。
【図１５】本発明の方法における、さらなる実施例の駆動構造を示す断面図である。
【図１６】従来の水槽の立体外観図である。
【図１７】従来の水槽の別の立体外観図である。
【図１８】従来の水槽のもう一つ別の立体外観図である。
【符号の説明】
【００３７】
１０    水槽
２０    水を入れる容器
３０    ろ過構造 
４０    駆動装置
２１    容器中空部
２２    底壁
２３    側壁
２４    柱体
３１    ケース
３２    ろ過材
３３    導流器
３４       回転軸
３５        鉄金属パーツ
４１    導線
４２    コイル
４３        排水導流装置
４４        電気磁石
４５        回路板
２２１     底面
２４１     設置面
２４２     回転軸孔
２４３     定位孔
２４４     収容槽
２５１、２５２        凹み部分
２６１、２６２        出っ張り部分
２７１、２７２        装飾物
２７３     照明パーツ
２７４     加熱装置
３１３     側壁
３２１     溝
３３１     導流器中空部
３３２     上壁
３３３     下壁
３３４     側壁
３４１     羽根車
３４２     定位柱
３４３     連接柱
３５１     磁気膜片
３１３１、３３４１    排水口
３３２１   導流口
３３３１   貫通孔
３３５１   開け口
【図１】
2007295917.tif 000003
【図２】
2007295917.tif 000004
【図３Ａ】
2007295917.tif 000005
【図３Ｂ】
2007295917.tif 000006
【図４】
2007295917.tif 000007
【図５】
2007295917.tif 000008
【図６】
2007295917.tif 000009
【図７】
2007295917.tif 000010
【図８】
2007295917.tif 000011
【図９】
2007295917.tif 000012
【図１０】
2007295917.tif 000013
【図１１】
2007295917.tif 000014
【図１２】
2007295917.tif 000015
【図１３】
2007295917.tif 000016
【図１４】
2007295917.tif 000017
【図１５】
2007295917.tif 000018
【図１６】
2007295917.tif 000019
【図１７】
2007295917.tif 000020
【図１８】
2007295917.tif 000021